(57)【要約】【課題】車車間通信により取得される通信データを利用して車車間通信可能な盗難車の追跡をし、且つ、車車間通信が不可能な車両から取得される情報を利用して車車間通信が不可能な盗難車を追跡することが可能な盗難車追跡システムを提供する。【解決手段】車車間通信で他車両のナンバープレート情報を取得し、他車両が含まれる撮像画像を取得し、撮像画像に基づく自車両と他車両との間の距離と、車車間通信に基づく自車両と他車両との距離を比較することで、撮像画像内の他車両ごとに、車車間通信が可能であるか否かを判定し、車車間通信が可能な他車両のナンバープレート情報を含む第１の他車両情報及び対応する位置情報と、車車間通信が不可能な他車両の撮像画像を含む第２の他車両情報及び対応する位置情報とをサーバに送信し、サーバで受信された第１の他車両情報及び位置情報と、第２の他車両情報及び位置情報とに基づき、盗難車を追跡する。【選択図】図１
2019079330.tif 000002
【特許請求の範囲】
【請求項１】
複数の車両と、前記複数の車両のそれぞれと通信可能なサーバと、を含む盗難車追跡システムであって、
前記複数の車両のそれぞれに設けられ、自車両の周辺を撮像するカメラと、
前記複数の車両のそれぞれに設けられ、自車両の位置情報を取得する位置情報取得部と、
前記複数の車両のそれぞれに設けられ、車車間通信により、自車両の周辺の他車両から該他車両のナンバープレート情報を取得する第１の取得部と、
前記複数の車両のそれぞれに設けられ、前記カメラにより撮像された他車両を含む撮像画像を取得する第２の取得部と、
前記複数の車両のそれぞれに設けられ、前記カメラの撮像画像に基づき取得される自車両と他車両との間の距離と、車車間通信に基づき取得される自車両と他車両との距離を比較することにより、前記カメラの撮像画像に含まれる他車両ごとに、自車両と車車間通信が可能であるか否かを判定する判定部と、
前記複数の車両のそれぞれに設けられ、前記判定部により自車両と車車間通信が可能であると判定された他車両の前記ナンバープレート情報を含む第１の他車両情報と当該ナンバープレート情報が取得されたときの前記位置情報とを紐付けて前記サーバに送信すると共に、前記判定部により自車両と車車間通信が不可能であると判定された他車両が含まれる前記撮像画像、又は、当該撮像画像から認識された当該他車両のナンバープレート情報を含む第２の他車両情報と当該撮像画像が取得されたときの前記位置情報とを紐付けて前記サーバに送信する送信部と、
前記サーバに設けられ、前記複数の車両のそれぞれから受信された、前記第１の他車両情報、及び、前記第１の他車両情報と紐付けられた前記位置情報と、前記第２の他車両情報、及び、前記第２の他車両情報と紐付けられた前記位置情報とに基づき、盗難車を追跡する盗難車追跡部と、を備える、
盗難車追跡システム。
【発明の詳細な説明】
【技術分野】
【０００１】
本発明は、盗難車追跡システムに関する。
【背景技術】
【０００２】
例えば、車車間通信で他車両から取得した車両ＩＤと、車載カメラで撮像された他車両の画像のナンバー情報から生成される車両ＩＤとを比較し、車車間通信による通信データの真偽を判断する技術が知られている（例えば、特許文献１等参照）。
【先行技術文献】
【特許文献】
【０００３】
【特許文献１】特開２０１３−５８１４０号公報
【発明の概要】
【発明が解決しようとする課題】
【０００４】
しかしながら、特許文献１では、通信データの真偽を判断することができるが、通信データを用いて、通信データの送信元である車両の真偽、つまり、当該車両が盗難車等の不正車両であるか否かを判断することまでは考慮されていない。そのため、盗難車の通信データを複数の車両で受信できたとしても、盗難車を追跡することができない。
【０００５】
また、特許文献１では、車車間通信に未対応或いはその機能が停止されている車両、つまり、車車間通信が不可能な車両に関する情報を取得することは考慮されていない。そのため、車車間通信が不可能な盗難車を追跡することができない。
【０００６】
そこで、上記課題に鑑み、車車間通信により取得される通信データを利用して車車間通信可能な盗難車の追跡をし、且つ、車車間通信が不可能な車両から取得される情報を利用して車車間通信が不可能な盗難車を追跡することが可能な盗難車追跡システムを提供することを目的とする。
【課題を解決するための手段】
【０００７】
上記目的を達成するため、本発明の一実施形態では、
複数の車両と、前記複数の車両のそれぞれと通信可能なサーバと、を含む盗難車追跡システムであって、
前記複数の車両のそれぞれに設けられ、自車両の周辺を撮像するカメラと、
前記複数の車両のそれぞれに設けられ、自車両の位置情報を取得する位置情報取得部と、
前記複数の車両のそれぞれに設けられ、車車間通信により、自車両の周辺の他車両から該他車両のナンバープレート情報を取得する第１の取得部と、
前記複数の車両のそれぞれに設けられ、前記カメラにより撮像された他車両を含む撮像画像を取得する第２の取得部と、
前記複数の車両のそれぞれに設けられ、前記カメラの撮像画像に基づき取得される自車両と他車両との間の距離と、車車間通信に基づき取得される自車両と他車両との距離を比較することにより、前記カメラの撮像画像に含まれる他車両ごとに、自車両と車車間通信が可能であるか否かを判定する判定部と、
前記複数の車両のそれぞれに設けられ、前記判定部により自車両と車車間通信が可能であると判定された他車両の前記ナンバープレート情報を含む第１の他車両情報と当該ナンバープレート情報が取得されたときの前記位置情報とを紐付けて前記サーバに送信すると共に、前記判定部により自車両と車車間通信が不可能であると判定された他車両が含まれる前記撮像画像、又は、当該撮像画像から認識された当該他車両のナンバープレート情報を含む第２の他車両情報と当該撮像画像が取得されたときの前記位置情報とを紐付けて前記サーバに送信する送信部と、
前記サーバに設けられ、前記複数の車両のそれぞれから受信された、前記第１の他車両情報、及び、前記第１の他車両情報と紐付けられた前記位置情報と、前記第２の他車両情報、及び、前記第２の他車両情報と紐付けられた前記位置情報とに基づき、盗難車を追跡する盗難車追跡部と、を備える、
盗難車追跡システムが提供される。
【０００８】
本実施形態によれば、盗難車追跡システムは、例えば、複数の車両により異なる位置で取得された、車車間通信可能な盗難車のナンバープレート情報を含む第１の他車両情報と、これに対応する位置情報とをサーバで受信することができる。従って、盗難車追跡システムは、盗難車と同じナンバープレート情報を含む第１の他車両情報に対応する位置情報を利用して、盗難車を追跡することができる。
【０００９】
また、盗難車追跡システムは、例えば、複数の車両により異なる位置で取得された、車車間通信不可能な盗難車が含まれる撮像画像或いは当該撮像画像から認識される他車両のナンバープレート情報を含む第２の他車両情報とこれに対応する位置情報とをサーバで受信することができる。従って、盗難車追跡システムは、盗難車と同じナンバープレートが映っている撮像画像或いは盗難車と同じナンバープレート情報に対応する位置情報を利用して、盗難車を追跡することができる。
【発明の効果】
【００１０】
上述の実施形態によれば、車車間通信により取得される通信データを利用して車車間通信可能な盗難車の追跡をし、且つ、車車間通信が不可能な車両から取得される情報を利用して車車間通信が不可能な盗難車を追跡することが可能な盗難車追跡システムを提供することができる。
【図面の簡単な説明】
【００１１】
【図１】第１実施形態に係る盗難車追跡システムの構成の一例を示す図である。
【図２】第１実施形態に係る車車間通信他車両情報の一例を示す図である。
【図３】第１実施形態に係る車車間通信不可車両情報の一例を示す図である。
【図４】検索用ＤＢの一例を示す図である。
【図５】検索アプリの画面の具体例である。
【図６】第１実施形態に係る他車両情報収集装置による情報収集処理の一例を概略的に示すフローチャートである。
【図７】第１実施形態に係るセンタサーバによる情報登録処理の一例を概略的に示すフローチャートである。
【図８】第１実施形態に係るセンタサーバによる盗難車検索処理の一例を概略的に示すフローチャートである。
【図９】第２実施形態に係る盗難車追跡システムの構成の一例を示す図である。
【図１０】第２実施形態に係る他車両情報（車車間通信他車両情報及び車車間通信不可車両情報）の一例を示す図である。
【図１１】第２実施形態に係る他車両情報取集装置による情報収集処理の一例を示すフローチャートである。
【発明を実施するための形態】
【００１２】
以下、図面を参照して発明を実施するための形態について説明する。
【００１３】
＜第１実施形態＞
まず、第１実施形態について説明する。
【００１４】
［盗難車追跡システムの構成］
図１〜図５を参照して、本実施形態に係る盗難車追跡システム１の構成について説明する。
【００１５】
図１は、本実施形態に係る盗難車追跡システム１の構成の一例を示す図である。
【００１６】
盗難車追跡システム１は、他車両と車車間通信が可能な複数の車両５と、所定の通信ネットワークＮＷを通じて、それぞれの車両５と通信可能に接続されるセンタサーバ１００と、センタサーバ１００と通信可能に接続される携帯端末２００を含む。
【００１７】
尚、一の車両５は、他の車両５と盗難車追跡システム１に関して同じ構成を有する。そのため、図１には、一の車両５に搭載される詳細構成のみが代表的に示される。以下、第２実施形態における図９の車両５Ａについても同様である。
【００１８】
車両５には、他車両情報収集装置１０が搭載される。
【００１９】
他車両情報収集装置１０は、ＥＣＵ（Electronic Control Unit）２０と、ＤＣＭ（Data Communication Module）３０と、車車間通信機器４０と、ＧＰＳ（Global Positioning System）モジュール５０と、前方カメラ６０を含む。以下、他車両情報収集装置１０の説明における「車両５」は、特段の断りが無い限り、他車両情報収集装置１０が搭載されている車両５を意味する。
【００２０】
ＥＣＵ２０は、車両５における所定の機能に関する制御処理を行う電子制御ユニットである。例えば、ＥＣＵ２０は、車両５の近傍に位置する他車両に関する情報（他車両情報）を収集し、ＤＣＭ３０を介して、センタサーバ１００に送信（アップロード）する制御処理を行う。
【００２１】
ＥＣＵ２０は、その機能が任意のハードウェア、ソフトウェア、或いは、これらの組み合わせにより実現されてよい。例えば、ＥＣＵ２０は、ＣＰＵ（Central Processing Unit）、ＲＡＭ（Random Access Memory）、ＲＯＭ（Read Only Memory）、補助記憶装置、ＲＴＣ（Real Time Clock）、及び、通信用のインターフェースを含むマイクロコンピュータを中心として構成される。ＥＣＵ２０は、ＲＯＭや補助記憶装置に保存される一以上のプログラムを実行することにより実現される機能部として、車車間通信制御部２０１と、位置・日時情報取得部２０２と、車両検出部２０３と、判定部２０４と、ＤＣＭ通信制御部２０６を含む。また、ＥＣＵ２０は、補助記憶装置等の内部メモリに規定される記憶領域に保存される他車両情報２０５を含む。
【００２２】
尚、ＥＣＵ２０の機能は、複数のＥＣＵにより分担して実現されてもよい。
【００２３】
車車間通信制御部２０１（第１の取得部の一例）は、車車間通信機器４０を制御し、車両５の近傍を通過する車車間通信が可能な他車両（他の車両５を含む）との間で車車間通信を行う。
【００２４】
例えば、車車間通信制御部２０１は、車車間通信が確立された他車両に対して、当該他車両に関する所定の情報を要求し、当該他車両から当該情報を受信する。車車間通信により他車両から受信される情報には、他車両の車種に関する情報やナンバープレートに関する情報が含まれる。車車間通信制御部２０１は、他車両から受信した情報及び当該情報が取得（受信）されたときの車両５の位置情報を含む当該他車両に関する情報（以下、「車車間通信他車両情報（第１の他車両情報の一例）」と称する）他車両情報２０５として、内部メモリ等に保存する。
【００２５】
また、例えば、車車間通信制御部２０１は、車車間通信が確立された他車両（他の車両５）から、車両５（自車両）の車種に関する情報やナンバープレートに関する情報を含む情報を要求された場合、当該情報を他車両に送信する。
【００２６】
例えば、図２は、車車間通信他車両情報の一例を示す図である。具体的には、図２は、他車両情報２０５に含まれる車車間通信他車両情報をテーブル形式で表しており、その各列が他車両ごとの車車間通信他車両情報を表す。
【００２７】
図２に示すように、車車間通信他車両情報には、他車両から車車間通信で受信される、他車両の車種及びナンバープレートに関するの情報と、他車両から当該情報が取得（受信）されたときの日時情報、車両５の位置情報、及び、前方カメラ６０の撮像画像が含まれる。このとき、他車両から情報が取得されたときの日時情報及び車両５の位置情報は、後述の位置・日時情報取得部２０２により取得される。
【００２８】
尚、図２の撮像画像に関する情報は、例えば、別途保存される撮像画像の識別情報や別途アップロードされるクラウド上のリンク等のメタ情報であってよい。以下、図３、図４、図１０等についても同様である。
【００２９】
図１に戻り、また、車車間通信制御部２０１は、車車間通信が確立された他車両との間の通信データのやり取りに基づき、既知の方法で、車両５と当該他車両との距離を測定（推定）する。
【００３０】
位置・日時情報取得部２０２（位置情報取得部の一例）は、ＧＰＳモジュール５０から入力される車両５の位置情報、及び、ＲＴＣ等による日付及び時刻を含む日時情報を取得する。
【００３１】
車両検出部２０３（第２の取得部の一例）は、前方カメラ６０から入力される撮像画像を取得し、当該撮像画像に基づき、機械学習に基づく識別器（例えば、ＳＶＭ等）等を利用して、撮像画像内の車両（他車両）を認識（検出）する。
【００３２】
判定部２０４は、車両検出部２０３により検出された、撮像画像に含まれる一又は複数の他車両ごとに、車車間通信可能であるか否かを判定する。具体的には、判定部２０４は、撮像画像で検出された他車両ごとに、撮像画像から取得される車両５と他車両との距離と、車車間通信制御部２０１により測定される、車両５と車車間通信が完了した他車両との距離の差異が所定閾値以下であるか否かを判定する。撮像画像に含まれる他車両と車両５との間の撮像画像に基づく距離が、車両５と車車間通信が完了した他車両との距離と所定閾値を超えて異なっている場合、撮像画像に含まれる他車両は、車車間通信が完了した他車両以外の他車両であると判断できるからである。
【００３３】
また、判定部２０４は、撮像画像に含まれる他車両が車車間通信不可能である場合、当該他車両が含まれる撮像画像及び当該撮像画像が取得されたときの車両５の位置情報を含む当該他車両に関する情報（以下、「車車間通信不可他車両情報（第２の他車両情報の一例）」と称する）を他車両情報２０５として、内部メモリ等に保存する。
【００３４】
例えば、図３は、車車間通信不可他車両情報の一例を示す図である。具体的には、図３は、他車両情報２０５に含まれる車車間通信不可他車両情報をテーブル形式で表しており、その各列が他車両ごとの車車間通信不可他車両情報を表す。
【００３５】
図３に示すように、車車間通信不可他車両情報には、判定部２０４により車車間通信不可能であると判定された他車両が含まれる撮像画像と、当該撮像画像が取得された日時情報及び位置情報が含まれる。このとき、撮像画像が取得されたときの日時情報及び車両５の位置情報は、位置・日時情報取得部２０２により取得される。
【００３６】
図１に戻り、ＤＣＭ通信制御部２０６は、ＤＣＭ３０を制御し、センタサーバ１００との間で、情報信号や制御信号等の各種信号のやり取りを行う。
【００３７】
例えば、ＤＣＭ通信制御部２０６（送信部の一例）は、所定のタイミング、例えば、車両５のアクセサリ電源のオフ（ＡＣＣ−ＯＦＦ）のタイミングで、今回のＡＣＣ−ＯＮからＡＣＣ−ＯＦＦまでの間に保存された他車両情報２０５をセンタサーバ１００に送信する。
【００３８】
ＤＣＭ３０は、例えば、多数の基地局を末端とする携帯電話網やインターネット網等を含む所定の通信ネットワークＮＷを通じて、センタサーバ１００と双方向で通信を行う通信デバイスである。ＤＣＭ３０は、ＣＡＮ（Controller Area Network）等の車載ネットワークを通じて、ＥＣＵ２０を含む各種ＥＣＵと相互に通信可能に接続される。
【００３９】
車車間通信機器４０は、ＲＦ（Radio Frequency）帯、例えば、７６０ＭＨｚ帯や５．９ＧＨｚ帯の電波を利用し、複数の車両５の相互間で無線通信を行う既知の通信デバイスである。車車間通信機器４０は、ＣＡＮ等の車載ネットワークを通じて、ＥＣＵ２０を含む各種ＥＣＵと相互に通信可能に接続される。
【００４０】
ＧＰＳモジュール５０は、車両５の上空の三以上、好ましくは、四以上の衛星から送信されるＧＰＳ信号を受信し、車両５の位置を測位する。ＧＰＳモジュール５０は、一対一の通信線やＣＡＮ等の車載ネットワークを通じてＥＣＵ２０等と通信可能に接続され、測位された車両５の位置情報は、ＥＣＵ２０等に入力される。
【００４１】
前方カメラ６０（カメラの一例）は、車両５の前方の所定の撮像範囲、具体的には、車両５の前方を走行する他車両や対向車線をすれ違う当該他車両を含みうる所定の撮像範囲を撮像する。これにより、前方カメラ６０の撮像画像に基づき、既知の画像認識処理が適用されることで、当該撮像画像に含まれる他車両の車種やナンバープレート等が認識されうる。前方カメラ６０は、例えば、車両５のフロントウィンドウの室内側の中央上端部、即ち、車両５の室内側のフロントヘッダの左右中央部に取り付けられる。前方カメラ６０は、例えば、車両５のＡＣＣ−ＯＮにより起動し、起動後、車両５のＡＣＣ-ＯＦＦまでの間で、所定周期、例えば、１／３０秒ごとに、車両５の前方の上記撮像範囲を撮像する。前方カメラ６０は、一対一の通信線やＣＡＮ等の車載ネットワークを通じてＥＣＵ２０等と通信可能に接続され、前方カメラ６０の撮像画像は、ＥＣＵ２０等に入力される。
【００４２】
尚、前方カメラ６０に加えて、車両５の側方や後方を撮像可能なカメラが追加されてもよい。これにより、車両５の前方の他車両だけでなく、車両５の側方や後方の他車両を含む撮像画像が取得されうる。
【００４３】
センタサーバ１００は、それぞれの車両５から他車両情報を収集し、収集された他車両情報に基づき、盗難車の追跡を行う。センタサーバ１００は、通信機器１１０と、処理装置１２０を含む。
【００４４】
尚、センタサーバ１００の機能は、複数のサーバにより分担して実現されてもよい。
【００４５】
通信機器１１０は、通信ネットワークＮＷを通じて、それぞれの車両５及び携帯端末２００と双方向で通信を行う。
【００４６】
処理装置１２０は、センタサーバ１００における各種制御処理を行う。処理装置１２０は、その機能が任意のハードウェア、ソフトウェア、或いは、これらの組み合わせにより実現されてよく、例えば、ＣＰＵ、ＲＡＭ、ＲＯＭ、補助記憶装置、ＲＴＣ、通信インターフェース等を含む一又は複数のサーバコンピュータを中心に構成される。処理装置１２０は、例えば、ＲＯＭや補助記憶装置に保存される一以上のプログラムをＣＰＵ上で実行することにより実現される機能部として、通信処理部１２０１と、車種認識部１２０２と、ナンバープレート認識部１２０３と、検索用データ作成部１２０５と、検索ＡＰＩ（Application Programmable Interface）１２０７と、検索部１２０８を含む。また、処理装置１２０は、例えば、サーバコンピュータの補助記憶装置やサーバコンピュータに接続される外部記憶装置等に規定される記憶領域に構築される車種情報ＤＢ１２０４と、検索用ＤＢ１２０６を含む。
【００４７】
通信処理部１２０１は、通信機器１１０を制御し、それぞれの車両５との間での制御信号や情報信号等の各種信号のやり取りを行う。
【００４８】
例えば、通信処理部１２０１は、それぞれの車両５から、車車間通信他車両情報及び車車間通信不可他車両情報を含む他車両情報を受信する。
【００４９】
車種認識部１２０２は、既知の画像認識処理を適用して、通信処理部１２０１により車両５から受信される車車間通信不可他車両情報に含まれる撮像画像内の他車両の車種を認識する。このとき、車種認識部１２０２は、車種の画像認識処理用の学習データとしての車種情報ＤＢ１２０４に基づき、車種の認識処理を行う。
【００５０】
ナンバープレート認識部１２０３は、既知の画像認識処理を適用して、通信処理部１２０１により車両５から受信される車車間通信不可他車両情報に含まれる撮像画像内の他車両のナンバープレートを認識する。
【００５１】
車種情報ＤＢ１２０４は、撮像画像に含まれる他車両の車種を認識するための学習データである。車種情報ＤＢ１２０４は、新しい車種の発表或いは販売開始のたびに、適宜更新される。
【００５２】
検索用データ作成部１２０５は、通信処理部１２０１によりそれぞれの車両５から受信される他車両情報を、盗難車に関する他車両情報を検索しやすいデータ形式に加工する処理を行う。
【００５３】
例えば、検索用データ作成部１２０５は、車種認識部１２０２及びナンバープレート認識部１２０３を利用して、車車間通信不可他車両情報に含まれる撮像画像から他車両のナンバープレートと車種を抽出させる。
【００５４】
また、例えば、検索用データ作成部１２０５は、他車両情報に含まれる位置情報を、対象となる領域（例えば、日本全土、所定の都道府県内等）の地図上を所定のメッシュで区分けしたときのそれぞれのメッシュの識別情報（メッシュＩＤ）に変換する。
【００５５】
また、検索用データ作成部１２０５は、車車間通信他車両情報に含まれる、或いは、車種認識部１２０２及びナンバープレート認識部１２０３により認識された、車種とナンバープレートとの組み合わせが正規の登録情報と整合しているか否かを示す情報を生成する。以下、当該情報を「不整合情報」と称する。このとき、検索用データ作成部１２０５は、例えば、ナンバープレート情報を管理する国土交通省の該当する当局のデータベースにアクセスする等により、不整合情報を生成してよい。また、検索用データ作成部１２０５は、例えば、センタサーバ１００に予め登録される、それぞれの車両５のナンバープレートと車種の組み合わせに関する登録情報に基づき、他車両としての車両５の不整合情報を生成してもよい。
【００５６】
検索用データ作成部１２０５は、作成した検索用データに基づき検索用ＤＢ１２０６の構築（更新）を行う。
【００５７】
例えば、図４は、検索用ＤＢ１２０６に格納される検索用データの一例を示す図である。具体的には、図４は、検索用ＤＢ１２０６に格納される検索用データをテーブル形式で表しており、各列が一台の他車両に対応する。
【００５８】
図４に示すように、検索用データは、メッシュＩＤ、日時、車種、ナンバープレート、不整合情報、位置情報、及び、撮像画像を含む態様で構成される。これにより、盗難車のナンバープレート、車種、盗難された日時、盗難された位置等を検索キーとして、検索対象の盗難車に該当するデータを検索可能な検索用ＤＢ１２０６が構築される。
【００５９】
図１に戻り、検索ＡＰＩ１２０７は、携帯端末２００にインストールされるアプリケーションプログラム（以下、「検索アプリ」と称する）の機能を利用して、通信ネットワークＮＷを経由したＷｅｂ上からアクセス可能な盗難車検索用のインターフェースである。
【００６０】
検索部１２０８（盗難車追跡部の一例）は、検索ＡＰＩを利用したユーザからの盗難車の検索要求に応じて、検索用ＤＢ１２０６に格納される検索用データの中から対象となる盗難車に対応するデータを検索し、抽出する。
【００６１】
例えば、検索部１２０８は、車車間通信他車両情報に基づく検索用データの中から、盗難車と同じナンバープレートの検索用データを抽出する。これにより、盗難車を検索するユーザ（以下、単に「ユーザ」と称する）は、抽出された検索用データの位置情報を時系列的に確認することで、盗難車を追跡することができる。また、盗難車のナンバープレートが偽装されている場合であっても、車車間通信で他車両から取得されるナンバープレート情報は、正規の情報である可能性が非常に高いため、盗難車をより確実に追跡することができる。
【００６２】
また、例えば、検索部１２０８は、車車間通信不可他車両情報に基づく検索用データの中から、盗難車と同じナンバープレートの検索用データを抽出する。これにより、車車間通信他車両情報に基づく検索用データが利用できない場合であっても、ユーザは、抽出された検索用データの位置情報を時系列的に確認することで、盗難車である可能性が高い車両（以下、「盗難容疑車」と称する）を追跡することができる。盗難車のナンバープレートを他の車両に付け替えて偽装する可能性も有り得るからです。
【００６３】
また、例えば、検索部１２０８は、車車間通信不可他車両情報に基づく検索用データの中から、盗難されたナンバープレートと同じナンバープレートの検索用データを抽出する。これにより、ユーザは、抽出された検索用データの位置情報を時系列的に確認することで、盗難されたナンバープレートに付け替えられた車両を追跡することができる。また、ナンバープレートが付け替えられた車両は、盗難車である可能性も高いため、車種情報を確認することにより、他に盗難届が出されている同じ車種の盗難車を同時に追跡することができる。
【００６４】
また、例えば、検索部１２０８は、車車間通信不可他車両情報に基づく検索用データの中から、車両盗難の対象の車両と同じ車種で、且つ、車種とナンバープレートが正規の登録情報と整合しない検索用データを抽出する。このとき、検索部１２０８は、車両盗難が発生した場所及び日時やその後の移動可能な範囲等を考慮して、検索用データを抽出してよい。
【００６５】
具体的には、検索部１２０８は、車両盗難が発生した場所の状況（例えば、都市部なのか郊外なのかや渋滞発生多発地か否か等）に応じて、平均車速を予測する。そして、検索部１２０８は、予測した平均車速で車両盗難が発生した日時から所定時間（例えば、５分）で移動可能な位置範囲内で、当該所定時間に対応する時間帯の日時情報を含む検索用データを抽出する。該当する検索用データを抽出できた場合、検索部１２０８は、該当する検索用データのメッシュＩＤ（或いは位置情報）及び日時情報を基準として、同様の検索用データ抽出を繰り返す。また、該当する検索用データを抽出できない場合、検索部１２０８は、対象範囲を広げたり、対象となる時間帯を広げたり等により、再度、検索用データの抽出を試みる。
【００６６】
これにより、ユーザは、抽出された検索用データの位置情報を時系列的に確認することで、ナンバープレートが偽装された盗難車と同じ車種の車両（盗難容疑車）を追跡することができる。また、検索部１２０８は、ナンバープレートが偽装されている場合であっても、不整合情報を参照することにより、ナンバープレートと車種との組み合わせが正規の登録情報と整合しない車両を特定し、追跡することができる。
【００６７】
携帯端末２００は、盗難車の追跡を行うユーザが所持する汎用の携帯電話、スマートフォン、タブレット端末等である。また、携帯端末２００は、盗難車の追跡を行うための専用端末であってもよい。携帯端末２００は、通信機器２１０と、処理装置２２０と、タッチパネルディスプレイ（以下、単に「ディスプレイ」と称する）２３０を含む。
【００６８】
尚、検索アプリの機能が担保される態様であれば、携帯端末２００の代わりに、或いは、加えて、定置端末やセンタサーバ１００に対してネットワークを介さず直接的に接続される端末（直接接続端末）が盗難車の検索に利用されてもよい。つまり、検索アプリは、定置端末や直接接続端末等にインストールされてもよい。
【００６９】
通信機器２１０は、通信ネットワークＮＷを通じて、センタサーバ１００と双方向で通信を行うデバイスである。通信機器２１０は、例えば、ＬＴＥ（Long Term Evolution）、４Ｇ（4th Generation）、５Ｇ（5th Generation）等の通信規格に対応する移動通信モジュールである。
【００７０】
処理装置２２０は、携帯端末２００における各種制御処理を行う。処理装置２２０は、例えば、ＣＰＵと、ＲＡＭと、ＲＯＭと、補助記憶装置と、通信インターフェース等を含むコンピュータを中心に構成される。処理装置２２０は、例えば、ＲＯＭや補助記憶装置等に格納される一以上のプログラムをＣＰＵ上で実行することにより実現される機能部として、検索アプリ部２２０１を含む。
【００７１】
検索アプリ部２２０１は、処理装置２２０にインストールされる検索アプリを起動させることにより機能する。
【００７２】
具体的には、検索アプリ部２２０１は、ユーザの要求（操作）に応じて、通信機器２１０によって、通信ネットワークＮＷを通じてセンタサーバ１００の検索ＡＰＩ１２０７にアクセスし、所定の検索条件に基づく検索部１２０８による盗難車の検索を要求する。そして、検索アプリ部２２０１は、検索ＡＰＩ１２０７から戻り値で返却されるリストに基づき、検索結果をディスプレイ２３０に表示させる。
【００７３】
例えば、図５は、検索アプリ部２２０１によりディスプレイ２３０に表示される画面（操作入力画面及び検索結果出力画面）の一例を示す図である。具体的には、図５（ａ）は、検索条件を操作入力するための入力画面の一例を示す図である。図５（ｂ）は、検索条件のうち、車両が盗難された場所に関する情報を地図から入力する場合の入力画面の一例を示す図である。図５（ｃ）は、図５（ａ）、（ｂ）で入力された検索条件に基づく検索結果を出力する出力画面の一例である。
【００７４】
図５（ａ）に示すように、本例では、ユーザによる操作に応じて、車両が盗難された日時、場所、車種、ナンバープレートの情報が入力画面を通じて、検索条件として入力される。また、本例では、場所を入力する方法として、地図画面上で特定する方法（"地図から検索"）と、住所を直接入力する方法（"住所から検索"）の二通りの方法が採用される。
【００７５】
また、図５（ｂ）に示すように、本例では、"地図から検索"が選択されると、地図画面が表示され、盗難発生地点５０１（図中の黒丸）をディスプレイ２３０上でタッチパネルにより特定することができる。
【００７６】
また、図５（ｃ）に示すように、本例では、ユーザにより盗難発生地点５０１が特定された地図画面上において、検索部１２０８により抽出された検索用データ（検索結果）に含まれる位置情報と対応する位置に、盗難車、盗難されたナンバープレートが付け替えられた車両、或いは、盗難容疑車等の位置を示す盗難車地点５０２（図中の白丸）が表示される。これにより、ユーザは、盗難車等の位置を確認することができる。また、本例では、地図画面上に表示される複数の盗難車地点５０２は、時系列的に矢印で連結されている。これにより、ユーザは、複数の盗難車地点５０２を矢印の順に辿ることで、一見して、盗難車等がどのようなに移動したのかを確認することができるため、容易に、盗難車等を追跡することができる。
【００７７】
［盗難車追跡システムの動作の詳細］
次に、図６〜図８を参照して、盗難車追跡システム１の動作の詳細について説明する。
【００７８】
まず、図６は、本実施形態に係る他車両情報収集装置１０による情報収集処理の一例を概略的に示すフローチャートである。本フローチャートによる処理は、例えば、車両５のＡＣＣ−ＯＮからＡＣＣ−ＯＦＦまでの間で、所定の制御周期ごとに繰り返し実行される。以下、第２実施形態の図１１についても同様である。
【００７９】
ステップＳ６０２にて、車車間通信制御部２０１は、車両５の周辺に車車間通信可能な他車両が存在するか否かを判定する。車車間通信制御部２０１は、車両５の周辺に車車間通信可能な他車両が存在する場合、ステップＳ６０４に進み、それ以外の場合、ステップＳ６０８に進む。
【００８０】
以下、ステップＳ６０４の処理は、車両５と車車間通信可能な他車両が複数存在する場合、車車間通信可能な他車両ごとに実行される。
【００８１】
ステップＳ６０４にて、車車間通信制御部２０１は、車車間通信機器４０を制御し、他車両と車車間通信を行い、他車両から車種情報及びナンバープレート情報等を取得する。
【００８２】
ステップＳ６０６にて、車車間通信制御部２０１は、車車間通信により他車両から取得された情報を含む車車間通信他車両情報を他車両情報２０５として、内部メモリ等に保存する。
【００８３】
ステップＳ６０８にて、車両検出部２０３は、前方カメラ６０から入力される撮像画像から車両５の前方の他車両を認識（検出）する処理を行う。
【００８４】
ステップＳ６１０にて、車両検出部２０３は、前方カメラ６０の撮像画像から車両５の前方の他車両が検出されたか否かを判定する。車両検出部２０３は、車両５の前方の他車両が検出された場合、ステップＳ６１２に進み、それ以外の場合、ステップＳ６１８に進む。
【００８５】
ステップＳ６１２，Ｓ６１４の処理は、前方カメラ６０の撮像画像から複数の他車両が検出された場合、検出された他車両ごとに実行される。
【００８６】
ステップＳ６１２にて、判定部２０４は、前方カメラ６０の撮像画像に基づき、車両５と検出された他車両との間の距離を測定（算出）する。
【００８７】
ステップＳ６１４にて、判定部２０４は、検出された他車両が車車間通信により情報の取得が完了した他車両であるか否かを判定する。つまり、判定部２０４は、撮像画像に基づき取得（算出）された車両５と他車両との間の距離と、車車間通信で取得された車両５と他車両との距離とに基づき、検出された他車両が車車間通信が可能な車両か否かを判定する。判定部２０４は、検出された他車両が車車間通信により情報取得が完了した他車両でない場合、ステップＳ６１６に進み、それ以外の場合、ステップＳ６１８に進む。
【００８８】
ステップＳ６１６にて、判定部２０４は、検出された他車両が含まれる前方カメラ６０の撮像画像を含む車車間通信不可他車両情報を他車両情報２０５として、内部メモリ等に保存する。
【００８９】
ステップＳ６１８にて、ＤＣＭ通信制御部２０６は、車両５がＡＣＣ−ＯＦＦされたか否かを判定する。ＤＣＭ通信制御部２０６は、車両５がＡＣＣ−ＯＦＦされた場合、ステップＳ６２０に進み、それ以外の場合、今回の処理を終了する。
【００９０】
ステップＳ６２０にて、ＤＣＭ通信制御部２０６は、今回の車両５のＡＣＣ−ＯＮからＡＣＣ−ＯＦＦまでの期間で保存された他車両情報２０５（車車間通信他車両情報及び車車間通信不可他車両情報）をセンタサーバ１００に送信し、今回の処理を終了する。
【００９１】
続いて、図７は、本実施形態に係るセンタサーバ１００による情報登録処理の一例を概略的に示すフローチャートである。本フローチャートによる処理は、例えば、バッチ処理により、前回の処理の終了以降で通信処理部１２０１によりそれぞれの車両５から受信された他車両情報（車車間通信他車両情報或いは車車間通信不可他車両情報）を対象として実行される。
【００９２】
ステップＳ７０２にて、検索用データ作成部１２０５は、対象の他車両情報に車種情報及びナンバープレート情報が含まれるか否かを判定する。つまり、検索用データ作成部１２０５は、対象の他車両情報が車車間通信他車両情報であるか、車車間通信不可他車両情報であるかを判定する。検索用データ作成部１２０５は、対象の他車両情報に車種情報及びナンバープレート情報が含まれない場合、ステップＳ７０４に進み、含まれる場合、ステップＳ７１０に進む。
【００９３】
ステップＳ７０４にて、車種認識部１２０２は、対象の他車両情報（車車間通信不可他車両情報）に含まれる撮像画像から車種を認識し、車種情報を生成する。
【００９４】
ステップＳ７０６にて、ナンバープレート認識部１２０３は、対象の他車両情報（車車間通信不可他車両情報）に含まれる撮像画像からナンバープレートを認識し、ナンバープレート情報を生成する。
【００９５】
ステップＳ７０８にて、検索用データ作成部１２０５は、ナンバープレート認識部１２０３により認識されたナンバープレート情報に対応する正規の車種情報を取得する。これにより、検索用データ作成部１２０５は、上述の如く、不整合情報を生成することができる。
【００９６】
ステップＳ７１０にて、検索用データ作成部１２０５は、対象の他車両情報と、ステップＳ７０４〜Ｓ７０８で生成された情報とを加工し、検索用ＤＢ１２０６への登録用のデータを作成する。
【００９７】
ステップＳ７１２にて、検索用データ作成部１２０５は、作成した登録用のデータを検索用ＤＢ１２０６に登録する。
【００９８】
ステップＳ７１４にて、検索用データ作成部１２０５は、全対象の他車両情報に対する処理が終了したか否かを判定する。検索用データ作成部１２０５は、全対象の他車両情報に対する処理が終了していない場合、ステップＳ７０２に戻って、未処理の他車両情報を選択し、ステップＳ７０２〜Ｓ７１４の処理を繰り返し、全対象の他車両情報に対する処理が終了している場合、今回の処理を終了する。
【００９９】
続いて、図８は、本実施形態に係るセンタサーバ１００による盗難車検索処理の一例を概略的に示すフローチャートである。本フローチャートによる処理は、例えば、検索ＡＰＩ２０７が利用されると、実行される。
【０１００】
ステップＳ８０２にて、検索部１２０８は、検索用ＤＢ１２０６内の検索用データの中に、検索条件に適合する検索用データがあるか否かを判定する。検索部１２０８は、検索用ＤＢ１２０６の検索用データの中に、検索条件に適合する検索用データがある場合、ステップＳ８０４に進み、それ以外の場合、ステップＳ８０６に進む。
【０１０１】
ステップＳ８０４にて、検索部１２０８は、検索用ＤＢ１２０６から日時情報が古い順に、検索条件に適合する検索用データを取得し、ステップＳ８１２に進む。
【０１０２】
一方、ステップＳ８０６にて、検索部１２０８は、検索用ＤＢ１２０６内の検索用データの中に、検索条件に含まれる盗難車と同じ車種の車種情報を含み、且つ、車両盗難が発生した地点付近の位置情報を含み、且つ、車両盗難が発生した日時付近の日時情報を含み、且つ、車種情報とナンバープレート情報の組み合わせに不整合がある検索用データがあるか否かを判定する。検索部１２０８は、当該判定条件を満足する検索用データがある場合、ステップＳ８０８に進み、当該判定条件を満足する検索用データがない場合、ステップＳ８１０に進む。
【０１０３】
ステップＳ８０８にて、検索部１２０８は、検索用ＤＢ１２０６内の検索用データの中から、ステップＳ８０６の判定条件を満足する検索用データを取得する。そして、検索部１２０８は、盗難車と同じ車種の車種情報を含み、且つ、車両盗難が発生した地点から所定範囲内の位置情報を含み、且つ、車両盗難が発生した日時以降の日時情報を含み、且つ、車種情報とナンバープレート情報の組み合わせに不整合がある検索用データを、時系列的に古い順に検索用ＤＢ１２０６から取得し、ステップＳ８０８に進む。
【０１０４】
一方、ステップＳ８１０にて、検索部１２０８は、検索条件に該当する検索用データがないと判断し、ステップＳ８１２に進む。
【０１０５】
ステップＳ８１２にて、検索部１２０８は、戻り値で取得した検索用データに相当するリストを検索ＡＰＩ２０７に返却する。これにより、例えば、携帯端末２００のユーザは、図５（ｃ）のように、検索結果をディスプレイ２３０上で確認し、盗難車等を追跡することができる。
【０１０６】
［作用］
このように、本実施形態では、判定部２０４は、前方カメラ６０の撮像画像に基づき取得される車両５と他車両との間の距離と、車車間通信に基づき取得される車両５と他車両との距離を比較することにより、前方カメラ６０の撮像画像に含まれる他車両ごとに、車両５との車車間通信が可能であるか否かを判定する。また、ＤＣＭ通信制御部２０６は、判定部２０４により車両５との車車間通信が可能であると判定された他車両のナンバープレート情報を含む車車間通信他車両情報と当該ナンバープレート情報が取得されたときの車両５の位置情報とを紐付けてセンタサーバ１００に送信する。また、ＤＣＭ通信制御部２０６は、判定部２０４により車両５との車車間通信が不可能であると判定された他車両が含まれる前方カメラ６０の撮像画像を含む車車間通信不可他車両情報と当該撮像画像が取得されたときの位置情報とを紐付けてセンタサーバ１００に送信する。そして、検索部１２０８は、それぞれの車両５から受信された、車車間通信他車両情報、及び、当該車車間通信他車両情報と紐付けられた位置情報と、車車間通信不可他車両情報、及び、当該車車間通信不可他車両情報と紐付けられた位置情報とに基づき、盗難車を追跡する。
【０１０７】
これにより、盗難車追跡システム１は、例えば、複数の車両５により異なる位置で取得された、車車間通信可能な盗難車のナンバープレート情報を含む車車間通信他車両情報と、これに対応する位置情報とをセンタサーバ１００で受信することができる。従って、盗難車追跡システムは、盗難車と同じナンバープレート情報を含む車車間通信他車両情報に対応する位置情報を利用して、盗難車を追跡することができる。
【０１０８】
また、盗難車追跡システム１は、例えば、複数の車両５により異なる位置で取得された、車車間通信不可能な盗難車が含まれる撮像画像を含む車車間通信不可他車両情報と、これに対応する位置情報とをセンタサーバ１００で受信することができる。従って、盗難車追跡システム１は、盗難車と同じナンバープレートが映っている撮像画像に対応する位置情報を利用して、盗難車を追跡することができる。
【０１０９】
＜第２実施形態＞
次いで、第２実施形態について説明する。
【０１１０】
本実施形態に係る盗難車追跡システム１Ａは、車種認識部１２０２及びナンバープレート認識部１２０３の機能、並びに、検索用データ作成部１２０５の一部機能がそれぞれの車両５Ａ（他車両情報収集装置１０Ａ）に移管される点で、第１実施形態と異なる。
【０１１１】
以下、第１実施形態と同様の構成に同一の符号を付し、第１実施形態と異なる部分を中心に説明する。
【０１１２】
［盗難車追跡システムの構成］
図９を参照して、本実施形態に係る盗難車追跡システム１の構成について説明する。
【０１１３】
図９は、本実施形態に係る盗難車追跡システム１Ａの構成の一例を示す図である。
【０１１４】
盗難車追跡システム１Ａは、他車両と車車間通信が可能な複数の車両５Ａと、所定の通信ネットワークＮＷを通じて、それぞれの車両５Ａと通信可能に接続されるセンタサーバ１００Ａと、センタサーバ１００Ａと通信可能に接続される携帯端末２００を含む。
【０１１５】
車両５Ａには、第１実施形態と同様、他車両情報収集装置１０Ａが搭載される。
【０１１６】
他車両情報収集装置１０Ａは、ＥＣＵ２０Ａと、ＤＣＭ３０と、車車間通信機器４０と、ＧＰＳモジュール５０と、前方カメラ６０を含む。
【０１１７】
ＥＣＵ２０Ａは、機能部として、車車間通信制御部２０１と、位置・日時情報取得部２０２と、車両検出部２０３と、判定部２０４Ａと、ＤＣＭ通信制御部２０６Ａと、車種認識部２０７Ａと、ナンバープレート認識部２０８を含む。また、ＥＣＵ２０Ａは、例えば、内部メモリ等に規定される記憶領域に保存される他車両情報２０５Ａと、車種情報ＤＢ２０９Ａを含む。
【０１１８】
車車間通信制御部２０１は、第１実施形態と同様、車車間通信が確立された他車両に対して、当該他車両に関する所定の情報を要求し、当該他車両から当該情報を受信する。そして、車車間通信制御部２０１は、他車両から受信した、車種及びナンバープレートに関する情報、並びに、当該情報が取得（受信）されたときの車両５の位置情報を含む車車間通信他車両情報を他車両情報２０５Ａとして、内部メモリ等に保存する。
【０１１９】
判定部２０４Ａは、第１実施形態と同様、車両検出部２０３により検出された、撮像画像に含まれる一又は複数の他車両ごとに、車車間通信可能であるか否かを判定する。
【０１２０】
また、判定部２０４Ａは、撮像画像に含まれる他車両が車車間通信不可能である場合、車種認識部２０７Ａ及びナンバープレート認識部２０８Ａを利用して、前方カメラ６０の撮像画像から当該他車両の車種及びナンバープレートを抽出させる。そして、判定部２０４Ａは、抽出された車種及びナンバープレートに関する情報、並びに、当該撮像画像が取得されたときの車両５の位置情報を含む車車間通信不可他車両情報を他車両情報２０５Ａとして、内部メモリ等に保存する。これにより、後述の如く、車種及びナンバープレートに関する情報が既に抽出済の車車間通信不可他車両情報がセンタサーバ１００Ａにアップロードされるため、センタサーバ１００Ａの処理負荷を軽減することができる。
【０１２１】
例えば、図１０は、車車間通信他車両情報及び車車間通信不可他車両情報を含む他車両情報２０５Ａの一例を示す図である。具体的には、図１０は、他車両情報２０５に含まれる車車間通信他車両情報及び車車間通信不可他車両情報をテーブル形式で表しており、その各列が他車両ごとの車車間通信他車両情報或いは車車間通信不可他車両情報を表す。
【０１２２】
図１０に示すように、車車間通信他車両情報或いは車車間通信不可他車両情報には、第１実施形態と同様、他車両から車車間通信で受信される或いは他車両が含まれる撮像画像から認識される、他車両の車種及びナンバープレートに関するの情報が含まれる。また、車車間通信他車両情報或いは車車間通信不可他車両情報には、第１実施形態と同様、他車両から車車間通信で当該情報が取得（受信）されたとき或いは撮像画像が取得されたときの日時情報、車両５の位置情報、及び、前方カメラ６０の撮像画像が含まれる。
【０１２３】
更に、本例では、車車間通信他車両情報或いは車車間通信不可他車両情報には、車両５（自車両）の車両ＩＤが含まれる。これにより、他車両情報２０５Ａがセンタサーバ１００Ａにアップロードされた場合に、センタサーバ１００Ａ側で、それぞれの車両５Ａが他車両情報の収集にどれだけ貢献しているかを把握することができる。そのため、センタサーバ１００Ａは、それぞれの車両５Ａの他車両情報の収集の有無やその程度（例えば、アップロードされた他車両情報に対応する他車両の台数等）に応じて、それぞれの車両５Ａに対するインセンティブを与える等の施策を行うことができる。この場合、インセンティブとしては、例えば、実際の店舗或いはウェブ上の店舗等におけるクーポンや割引特典等の付与がある。
【０１２４】
図９に戻り、ＤＣＭ通信制御部２０６Ａは、第１実施形態と同様、例えば、車両５のＡＣＣ−ＯＦＦのタイミングで、今回のＡＣＣ−ＯＮからＡＣＣ−ＯＦＦまでの間に保存された他車両情報２０５Ａをセンタサーバ１００Ａに送信する。
【０１２５】
また、ＤＣＭ通信制御部２０６Ａは、センタサーバ１００Ａから適宜配信される最新の車種情報を受信し、車種情報ＤＢ２０９Ａを更新する。
【０１２６】
車種認識部２０７Ａは、既知の画像認識処理を適用して、撮像画像内の他車両の車種を認識する。このとき、車種認識部２０７Ａは、車種の画像認識処理用の学習データとしての車種情報ＤＢ２０９Ａに基づき、車種の認識処理を行う。
【０１２７】
ナンバープレート認識部２０８Ａは、既知の画像認識処理を適用して、撮像画像内の他車両のナンバープレートを認識する。
【０１２８】
センタサーバ１００Ａは、第１実施形態と同様、通信機器１１０と、処理装置１２０Ａを含む。
【０１２９】
処理装置１２０Ａは、機能部として、通信処理部１２０１と、検索用データ作成部１２０５Ａと、検索ＡＰＩ１２０７と、検索部１２０８を含む。また、処理装置１２０は、例えば、サーバコンピュータの補助記憶装置やサーバコンピュータに接続される外部記憶装置等に規定される記憶領域に構築される検索用ＤＢ１２０６を含む。
【０１３０】
検索用データ作成部１２０５Ａは、第１実施形態と同様、通信処理部１２０１によりそれぞれの車両５から受信される他車両情報を、盗難車に関する他車両情報を検索しやすいデータ形式に加工する処理を行う。
【０１３１】
検索用データ作成部１２０５Ａは、車車間通信不可他車両情報に含まれる撮像画像から他車両のナンバープレートと車種を抽出させる処理が省略される以外、第１実施形態と同様の処理を行うため、詳細な説明を省略する。
【０１３２】
［盗難車追跡システムの動作の詳細］
次に、図１１を参照して、本実施形態に係る盗難車追跡システム１の動作について説明する。
【０１３３】
図１１は、本実施形態に係る他車両情報収集装置１０による情報収集処理の一例を概略的に示すフローチャートである。
【０１３４】
ステップＳ１１０２〜Ｓ１１１４の処理は、図６のＳ６０２〜Ｓ６１４と同じであるため、説明を省略する。
【０１３５】
ステップＳ１１１４にて、検出された他車両が車車間通信により情報の取得が完了した他車両でないと判定された場合、ステップＳ１１１６にて、車種認識部２０７Ａは、前方カメラ６０の撮像画像に含まれる当該他車両の車種を認識する。
【０１３６】
ステップＳ１１１８にて、ナンバープレート認識部２０８Ａは、車種認識部２０７Ａは、前方カメラ６０の撮像画像に含まれる当該他車両のナンバープレートを認識する。
【０１３７】
ステップＳ１１２０にて、判定部２０４Ａは、当該他車両が所定時間（例えば、５分間）内で、車両検出部２０３により検出済であるか否かを判定する。判定部２０４Ａは、当該他車両が所定時間内で、検出済でない場合、ステップＳ１１２２に進み、検出済である場合、ステップＳ１１２４に進む。これにより、例えば、車両５の前方を走行している他車両が継続的に検出されるような場合に、同じ他車両に関する情報が重複して車車間通信不可車両情報として保存されるような事態を抑制することができる。
【０１３８】
ステップＳ１１２２にて、判定部２０４Ａは、車種認識部２０７Ａ及びナンバープレート認識部２０８Ａにより認識された他車両の車種及びナンバープレートに関する情報を含む車車間通信不可他車両情報を他車両情報２０５Ａとして内部メモリ等に保存する。
【０１３９】
ステップＳ１１２４，Ｓ１１２６の処理は、図６のステップＳ６１８，Ｓ６２０と同じであるため、説明を省略する。
【０１４０】
［作用］
このように、本実施形態では、ＤＣＭ通信制御部２０６は、判定部２０４Ａにより車両５との車車間通信が不可能であると判定された他車両が含まれる前方カメラ６０の撮像画像から認識された当該他車両のナンバープレート情報を含む車車間通信不可他車両情報と当該撮像画像が取得されたときの位置情報とを紐付けてセンタサーバ１００Ａに送信する。そして、検索部１２０８は、それぞれの車両５Ａから受信された、車車間通信他車両情報、及び、当該車車間通信他車両情報と紐付けられた位置情報と、車車間通信不可他車両情報、及び、当該車車間通信不可他車両情報と紐付けられた位置情報とに基づき、盗難車を追跡する。
【０１４１】
これにより、盗難車追跡システム１Ａは、例えば、複数の車両５Ａにより異なる位置で取得された、車車間通信不可能な盗難車が含まれる撮像画像から認識される他車両のナンバープレート情報を含む車車間通信不可他車両情報と、これに対応する位置情報とをセンタサーバ１００Ａで受信することができる。従って、盗難車追跡システム１Ａは、盗難車と同じナンバープレート情報を含む車車間通信不可他車両情報に対応する位置情報を利用して、盗難車を追跡することができる。
【０１４２】
以上、本発明を実施するための形態について詳述したが、本発明はかかる特定の実施形態に限定されるものではなく、特許請求の範囲に記載された本発明の要旨の範囲内において、種々の変形・変更が可能である。
【符号の説明】
【０１４３】
１，１Ａ  盗難車追跡システム
５，５Ａ  車両
１０，１０Ａ  他車両情報収集装置
２０，２０Ａ  ＥＣＵ
３０  ＤＣＭ
４０  車車間通信機器
５０  ＧＰＳモジュール
６０  前方カメラ
１００，１００Ａ  センタサーバ
１１０  通信機器
１２０，１２０Ａ  処理装置
２００  携帯端末
２０１  車車間通信制御部（第１の取得部）
２０２  位置・日時情報取得部（位置情報取得部）
２０３  車両検出部（第２の取得部）
２０４，２０４Ａ  判定部
２０５，２０５Ａ  他車両情報
２０６，２０６Ａ  ＤＣＭ通信制御部（送信部）
２０７Ａ  車種認識部
２０８Ａ  ナンバープレート認識部
２０９Ａ  車種情報ＤＢ
２１０  通信機器
２２０  処理装置
２３０  タッチパネルディスプレイ
１２０１  通信処理部
１２０２  車種認識部
１２０３  ナンバープレート認識部
１２０４  車種情報ＤＢ
１２０５，１２０５Ａ  検索用データ作成部
１２０６  検索用ＤＢ
１２０７  検索ＡＰＩ
１２０８  検索部（盗難車追跡部）
２２０１  検索アプリ部
【図１】
2019079330.tif 000003
【図２】
2019079330.tif 000004
【図３】
2019079330.tif 000005
【図４】
2019079330.tif 000006
【図５】
2019079330.tif 000007
【図６】
2019079330.tif 000008
【図７】
2019079330.tif 000009
【図８】
2019079330.tif 000010
【図９】
2019079330.tif 000011
【図１０】
2019079330.tif 000012
【図１１】
2019079330.tif 000013